(57)【要約】【課題】カメラモジュールに関し、イメージセンサＩＣと画像情報処理回路ＩＣを搭載したフレキシブル配線基板のレンズホルダーへの取り付けが簡単で、レンズとイメージセンサとの位置決めが容易であり、光軸の傾きが防止でき、生産性が向上する構造の提供。【解決手段】イメージセンサ及び画像情報処理回路を搭載した配線基板並びに上面にカメラレンズを保持し底面にイメージセンサ及び画像情報処理回路を収納する開口部を備えたレンズホルダーを組み立ててなるカメラモジュールにおいて、フレキシブル配線基板に搭載したイメージセンサＩＣと画像情報処理回路ＩＣを収容して該開口部内に収容される枠形スペーサの上下面に該フレキシブル配線基板を位置決めして支持する突起を備えている。【選択図】　図１
2004055574.tif 000002
【特許請求の範囲】
【請求項１】
イメージセンサ及び画像情報処理回路を搭載した配線基板並びに上面にカメラレンズを保持し底面がイメージセンサ及び画像情報処理回路を収納する開口部を備えたレンズホルダーを組み立ててなるカメラモジュールにおいて、フレキシブル配線基板に搭載したイメージセンサＩＣと画像情報処理回路ＩＣを収容して該開口部内に収容される枠形スペーサの上下に該フレキシブル配線基板を位置決めして支持する突起を備えていることを特徴とするカメラモジュール。
【請求項２】
該枠形スペーサの上面の少なくとも角部に設けた突起がイメージセンサＩＣを搭載した該フレキシブル配線基板の部分を支持し、該枠形スペーサの下面の少なくとも角部に設けた突起が画像情報処理回路ＩＣを搭載した該フレキシブル配線基板の部分を支持するように、該フレキシブル配線基板を折り曲げて該枠形スペーサに保持したことを特徴とする請求項１のカメラモジュール。
【請求項３】
該枠形スペーサの上面に設けた該フレキシブル配線基板を支持する突起が、該レンズホルダーの開口部の天井の該枠形スペーサの当接面に形成した保持穴に嵌合することを特徴とする請求項１のカメラモジュール。
【請求項４】
該枠形スペーサの下面に設けた該フレキシブル配線基板を支持する突起が、該レンズホルダーの開口部を塞ぐ裏蓋に形成した保持孔に嵌合することを特徴とする請求項１のカメラモジュール。
【発明の詳細な説明】
【０００１】
【発明の属する技術分野】
本発明は、デジタルカメラ、携帯機器または各種の監視装置等に使用されるカメラモジュールに関するものである。さらに詳しくは、カメラのレンズとイメージセンサの受光面との正確な位置合わせを容易に行うことができ、生産性が向上する構造を持ったカメラモジュールにかかるものである。
【０００２】
【従来の技術】
カメラモジュールは、レンズと配線基板に取り付けられたイメージセンサの受光面とが、レンズの光軸がイメージセンサの中心に正確に位置決めされるように組み立てられる必要がある。
図３は従来のカメラモジュールの実装構造を示す。イメージセンサＩＣ３１が、凹部を有するセラミックパッケージ３２の中にダイボンドされ、ワイヤボンディングにより接続ランド３３とボンディングパッド３４が接続される。接続ランド３３は外部接続のためにセラミックパッケージの基板を貫通する接続ピン３５に接続されている。セラミックパッケージにはガラス板３６がイメージセンサＩＣの保護のため取り付けられる。
【０００３】
このセラミックパッケージ３２は、さらに画像情報処理回路用ＩＣ３７などが接続されたフレキシブル配線基板３８にとりつけられ、レンズホルダー３９内に収納され固定されていた。
しかし、フレキシブル配線基板３８のレンズホルダー３９内への取り付けは、手順が複雑であり、ねじ止めや接着剤によっていたが、ねじ止めは基板の取り付け工程が多くなり、容易でなかった。また、接着剤の場合は位置の精度が十分に得られず、取り付け後に調整をしなければならない場合が多くあった。
【０００４】
【発明が解決しようとする課題】
本発明は、上述した従来のカメラモジュールにおける課題を解決しようとするものである。
すなわち、本発明は、イメージセンサＩＣと画像情報処理回路ＩＣが搭載されたフレキシブル配線基板をレンズホルダーに簡単に装着でき、しかもレンズとイメージセンサとの位置決めが正確であり光軸の傾きが防止できる、カメラモジュールを提供しようとするものである。
【０００５】
また、小形化されたカメラモジュールの組み立てが、作業性よく行える構造を提供するものである。
【０００６】
【課題を解決するための手段】
本発明のカメラモジュールは、イメージセンサ及び画像情報処理回路を搭載した配線基板並びに上面にカメラレンズを保持し底面がイメージセンサ及び画像情報処理回路を収納する開口部を備えたレンズホルダーを組み立ててなるカメラモジュールにおいて、フレキシブル配線基板に搭載したイメージセンサＩＣと画像情報処理回路ＩＣを収容して開口部内に収容される枠形スペーサの上下にフレキシブル配線基板を位置決めして支持する突起を備えていることを特徴とするものである。
また、枠形スペーサの上面の少なくとも角部に設けた突起がイメージセンサＩＣを搭載したフレキシブル配線基板の部分を支持し、枠形スペーサの下面の少なくとも角部に設けた突起が画像情報処理回路ＩＣを搭載したフレキシブル配線基板の部分を支持するようにフレキシブル配線基板を折り曲げて枠形スペーサに保持したことを特徴とするカメラモジュールである。
【０００７】
さらにまた、枠形スペーサの上面に設けたフレキシブル配線基板を支持する突起が、レンズホルダーの開口部の天井の枠形スペーサの当接面に形成した保持穴に嵌合することを特徴とするカメラモジュールである。
そしてまた、枠形スペーサの下面に設けたフレキシブル配線基板を支持する突起が、レンズホルダーの開口部を塞ぐ裏蓋に形成した保持孔に嵌合することを特徴とするカメラモジュールである。
【０００８】
【発明の実施の形態】
本発明の実施の形態としては次のようなものがある。
本発明のカメラモジュールは、少なくともイメージセンサ及びこれを駆動する画像情報処理回路が搭載されたフレキシブル配線基板を、イメージセンサＩＣと画像情報処理回路ＩＣを収容する枠形スペーサを介して折り曲げて、上面にカメラレンズを保持した貫通孔を有し底面がそのイメージセンサ及び画像情報処理回路を収納する開口部を備えたレンズホルダー内に収納する。
枠形スペーサは、少なくともその上下面の角部に、開口部内に収容されるフレキシブル配線基板を位置決めして支持するピン状の突起（以下ピンという）を備えている。フレキシブル配線基板にはピンに対応する位置にピンと契合する孔を有する。
また、枠形スペーサのピンがレンズホルダー開口部の天井壁面に設けた保持穴に挿入されて、レンズとイメージセンサとの相対的な位置決めが行われる。
【０００９】
【実施例】
本発明の１実施例を図１乃至図２を参照して説明する。
本発明にかかるカメラモジュールは、図１に示すような、カメラレンズ３を保持したハウジング２からなるレンズホルダー１が、底面に設けた開口部４にフレキシブル配線基板７に搭載されたイメージセンサＩＣ５と画像情報処理回路ＩＣ６を収納したものである。
【００１０】
図１に示すように、レンズホルダー１のハウジング２は、上面にレンズ３を保持する貫通孔を有し、その底面は開口部４となっている。
フレキシブル配線基板７には、表面の一端にはレンズの光軸に一致して中心を位置するようにイメージセンサＩＣ５が取り付けられ、続いて少し間隔を置いてイメージセンサに取り込まれた画像情報の処理をする画像情報処理回路ＩＣ６が実装されている。フレキシブル配線基板７の他方の端はコネクタとなっている。
イメージセンサＩＣ５と画像情報処理回路ＩＣ６は、ＩＣチップを例えばフリップチップ実装などでフレキシブル配線基板７に直接取り付けられていて、ＩＣチップを向かい合わせで収容する枠形スペーサ８を介してフレキシブル配線基板７を折り曲げて、枠形スペーサ８とともに開口部４内に収容される。
【００１１】
枠形スペーサ８は、枠体の上下面にフレキシブル配線基板の位置を規制するためのピン９ａ、９ｂを備え、これをイメージセンサＩＣ５と画像情報処理回路ＩＣ６の取り付け部分の周囲に設けた孔１１に挿し通しフレキシブル配線基板７を保持する。これによってフレキシブル配線基板を固定し、位置決めがなされる。ピンは枠体の角に配置して４カ所に設けるとよく、安定のためには少なくとも３箇所は必要である。フレキシブル配線基板の孔もこれに対応して設ける。
折り曲げは、枠体の側面で多少余裕を持つように撓めて行われる。
【００１２】
また枠形スペーサ８のフレキシブル配線基板の位置決めをするピン９ａは、図１に示すように開口部の天井壁面に設けた保持穴１４に嵌合して、枠形スペーサ８を位置決めし保持することによって、イメージセンサＩＣ５とレンズ３との光軸を一致させることに役立つ。
これによって、開口部の天井の該配線基板の当接面と穴１４により枠形スペーサ８が保持され、開口部４の穴１４は、配線基板の水平方向の位置を規制する。
【００１３】
さらにまた、枠形スペーサ８のフレキシブル配線基板の位置決めをするピン９ｂは、図１に示すように裏蓋１２に設けた保持孔１３に嵌合して、裏蓋を位置決めし保持することによって、レンズホルダーのハウジング２の底面を密封するのに役立つ。
裏蓋の保持孔１３にピン９ｂを挿通し、レンズホルダー１の底面から裏蓋１２をフレキシブル配線基板が保持された枠形スペーサ８とともに押し込むことにより、カメラモジュールの組み立てが容易にできる。裏蓋１２の周囲は、樹脂等で固着される。
【００１４】
なお、図の１０はフレキシブル配線基板に設けた窓であり、１５は赤外線除去フィルタである。また図２では配線基板の回路は図示を省略してある。
【００１５】
以上には、枠形スペーサの上下面にピン状の突起を設けた例として説明したが、同様の機能を果たすものであれば他の形状をした突起であってもよい。
【００１６】
【発明の効果】
本発明によれば、枠形スペーサにフレキシブル配線基板を固定して、レンズホルダーに装着するので、カメラモジュール組み立ての作業性がよい。
枠形スペーサの突起がレンズホルダーの保持穴に挿入されるので、レンズとイメージセンサとの相対的な位置決めが簡単容易であり、光軸の傾きが防止でき、レンズとイメージセンサの距離が一定となる。
裏蓋は蓋に設けた孔を枠形スペーサの突起と嵌め合わせて接着するので、組み立てが簡単である。小形化されたカメラモジュールの組み立てが生産性よく実現しやすい。などの利点がある。
【図面の簡単な説明】
【図１】本発明のカメラモジュールの実施例の側断面図、
【図２】第１図のカメラモジュールの分解斜視図、
【図３】従来例におけるカメラモジュールの側断面図
【符号の説明】
１　　　　レンズホルダー
５　　　　イメージセンサＩＣ
６　　　　画像情報処理回路ＩＣ
７　　　　フレキシブル配線基板
８　　　　枠形スペーサ
９ａ、９ｂ　突起（ピン）
１１　　　フレキシブル配線基板の孔
１２　　　裏蓋
１３　　　保持孔
１４　　　保持穴
【図１】
2004055574.tif 000003
【図２】
2004055574.tif 000004
【図３】
2004055574.tif 000005